(57)【要約】  操作性の向上を図ることのできる携帯情報端末であって、記機能を特定する機能特定情報が表示される第１の表示領域と機能実行部により実行される機能の実行状態を示す実行情報が表示される第２の表示領域とを有する表示部１７と、表示部１７における第２の表示領域への実行情報の表示が抑制された待受状態において機能特定情報を第１の表示領域に表示すると共に実行情報とは異なる情報である待受情報を第２の表示領域に表示する制御部１２と、を有し、制御部１２は、待受状態において操作検出部１８により検出された操作に応じて機能特定情報が選択されると、第１の表示領域への機能特定情報の表示を維持した状態で選択された機能特定情報により特定される機能の実行情報を第２の表示領域に表示する。
2008081945.tif 000002
【特許請求の範囲】
【請求項１】
操作を検出する操作検出部と、
複数の機能を実行する機能実行部と、
前記機能を特定する機能特定情報が表示される第１の表示領域と前記機能実行部により実行される前記機能の実行状態を示す実行情報が表示される第２の表示領域とを有する表示部と、
前記表示部における前記第２の表示領域への前記実行情報の表示が抑制された待受状態において前記機能特定情報を前記第１の表示領域に表示すると共に前記実行情報とは異なる情報である待受情報を前記第２の表示領域に表示する制御部と、を有し、
前記制御部は、
前記待受状態において前記操作検出部により検出された操作に応じて前記機能特定情報が選択されると、前記第１の表示領域への前記機能特定情報の表示を維持した状態で当該選択された機能特定情報により特定される機能の前記実行情報を前記第２の表示領域に表示する
携帯情報端末。
【請求項２】
前記制御部は、
前記第１の表示領域に複数の前記機能特定情報を表示すると共に、前記選択された前記機能特定情報を他の前記機能特定情報に比べて強調して前記第１の表示領域に表示する
請求項１に記載の携帯情報端末。
【請求項３】
前記制御部は、
前記機能特定情報が選択された状態で前記操作検出部により操作が検出されると、当該操作に応じて前記選択された前記機能特定情報により特定される機能を前記機能実行部により実行する
請求項１に記載の携帯情報端末。
【請求項４】
前記実行情報は、前記機能実行部により実行された機能の実行状態に応じて変更可能であり、
前記制御部は、
前記機能実行部により実行されて前記実行情報が変更されて、かつ、当該実行された機能が終了または中断されると、前記変更された実行情報を前記第２の表示領域に表示する
請求項１に記載の携帯情報端末。
【請求項５】
通信部をさらに有し、
前記機能実行部は、前記通信部を介して信号を受信する受信機能を実行可能であり、
前記実行情報は、前記機能実行部による前記受信機能の実行により受信された信号に基づいて変更可能である
請求項１に記載の携帯情報端末。
【請求項６】
前記制御部は、
前記機能実行部により実行された機能が終了されると、前記実行の直前に前記第１の表示領域に表示されていた前記機能特定情報を前記第１の表示領域に表示すると共に、前記第２の表示領域に表示されていた前記実行情報を前記第２の表示領域に表示する
請求項５に記載の携帯情報端末。
【請求項７】
前記制御部は、
前記機能実行部により実行された機能が中断されると、前記機能実行部による実行が中断されている機能を特定する第１の中断機能情報を前記第１の表示領域に表示すると共に、前記実行が中断された機能の実行状態を示す第２の中断機能情報を前記第２の表示領域に表示する
請求項１に記載の携帯情報端末。
【請求項８】
前記制御部は、
前記第２の中断機能情報が前記第２の表示領域に表示された状態で前記操作検出部により操作が検出されて前記第２の中断機能情報が選択されると、当該選択された前記第２の中断機能情報に対応する中断中の機能の実行を再開する
請求項７に記載の携帯情報端末。
【請求項９】
前記制御部は、
前記機能特定情報が選択された状態で前記操作検出部により検出される操作に応じて前記選択が解除されると、前記第２の表示領域に前記待受情報を表示する
請求項１に記載の携帯情報端末。
【請求項１０】
通信部をさらに有し、
前記機能実行部は、前記通信部を介してＷｅｂページに係る情報を受信すると共に、当該受信されたＷｅｂページを前記表示部の前記第２の表示領域に表示するブラウザ機能を実行可能に構成され、
前記制御部は、前記機能実行部による前記ブラウザ機能が中断された状態で前記操作検出部により操作が検出されて前記ブラウザ機能を特定する前記第１の中断機能情報が選択されると前記中断された状態を維持したまま前記通信部を介して前記Ｗｅｂページに係る情報を再び受信し、当該受信されたＷｅｂページを前記表示部の前記第２の表示領域に表示する、
請求項７に記載の携帯情報端末。
【発明の詳細な説明】
【技術分野】
【０００１】
本発明は、複数の機能を実行可能に構成される携帯電話等の携帯情報端末に関する。
【背景技術】
【０００２】
近年の携帯電話は、機能の高度化に伴い操作性のさらなる向上が望まれている。操作性の向上を目的とした従来技術として、例えば、待受状態時に時計表示、カレンダ表示、貼付メモ表の機能を特定するアイコンを表示部に表示し、そのアイコンが操作部への操作に応じて選択されると対応する機能が実行される携帯情報端末が知られている。【０００３】
また、操作部への操作に応じて各機能に対応するタブを液晶モニタに表示し、そのタブが操作部への操作に応じて選択されると対応する設定項目を液晶モニタに表示する携帯端末装置も知られている（例えば、特許文献１参照）。
【特許文献１】特開２００３−２８３６３５号公報
【発明の開示】
【発明が解決しようとする課題】
【０００４】
しかし、携帯電話等の携帯情報端末は、通常、小さな表示部しか搭載することができないため、アイコンを表示する領域は小さくならざるをえず、操作性が必ずしも向上するとは限らない。
また、特許文献１に記載の携帯端末装置についても、各機能に対応するタブを液晶モニタに表示するための操作部への操作が別途必要であるため、操作性の向上が図られているとは言い難い。【０００５】
本発明は、操作性の向上を図ることのできる携帯情報端末を提供することにある。
【課題を解決するための手段】
【０００６】
本発明の第１の観点は、操作を検出する操作検出部と、複数の機能を実行する機能実行部と、前記機能を特定する機能特定情報が表示される第１の表示領域と前記機能実行部により実行される前記機能の実行状態を示す実行情報が表示される第２の表示領域とを有する表示部と、前記表示部における前記第２の表示領域への前記実行情報の表示が抑制された待受状態において前記機能特定情報を前記第１の表示領域に表示すると共に前記実行情報とは異なる情報である待受情報を前記第２の表示領域に表示する制御部と、を有し、前記制御部は、前記待受状態において前記操作検出部により検出された操作に応じて前記機能特定情報が選択されると、前記第１の表示領域への前記機能特定情報の表示を維持した状態で当該選択された機能特定情報により特定される機能の前記実行情報を前記第２の表示領域に表示する。【０００７】
好適には、前記制御部は、前記第１の表示領域に複数の前記機能特定情報を表示すると共に、前記選択された前記機能特定情報を他の前記機能特定情報に比べて強調して前記第１の表示領域に表示する。【０００８】
好適には、前記制御部は、前記機能特定情報が選択された状態で前記操作検出部により操作が検出されると、当該操作に応じて前記選択された前記機能特定情報により特定される機能を前記機能実行部により実行する。【０００９】
好適には、前記実行情報は、前記機能実行部により実行された機能の実行状態に応じて変更可能であり、前記制御部は、前記機能実行部により実行されて前記実行情報が変更されて、かつ、当該実行された機能が終了または中断されると、前記変更された実行情報を前記第２の表示領域に表示する。【００１０】
好適には、通信部をさらに有し、前記機能実行部は、前記通信部を介して信号を受信する受信機能を実行可能であり、前記実行情報は、前記機能実行部による前記受信機能の実行により受信された信号に基づいて変更可能である。【００１１】
好適には、前記制御部は、前記機能実行部により実行された機能が終了されると、前記実行の直前に前記第１の表示領域に表示されていた前記機能特定情報を前記第１の表示領域に表示すると共に、前記第２の表示領域に表示されていた前記実行情報を前記第２の表示領域に表示する。【００１２】
好適には、前記制御部は、前記機能実行部により実行された機能が中断されると、前記機能実行部による実行が中断されている機能を特定する第１の中断機能情報を前記第１の表示領域に表示すると共に、前記実行が中断された機能の実行状態を示す第２の中断機能情報を前記第２の表示領域に表示する。【００１３】
好適には、前記制御部は、前記第２の中断機能情報が前記第２の表示領域に表示された状態で前記操作検出部により操作が検出されて前記第２の中断機能情報が選択されると、当該選択された前記第２の中断機能情報に対応する中断中の機能の実行を再開する。【００１４】
好適には、前記制御部は、前記機能特定情報が選択された状態で前記操作検出部により検出される操作に応じて前記選択が解除されると、前記第２の表示領域に前記待受情報を表示する。
【発明の効果】
【００１５】
本発明によれば、操作性の向上が図られる携帯情報端末を提供することができる。
【図面の簡単な説明】
【００１６】
【図１】図１は、本発明の形態に係る携帯情報端末の外観図である。
【図２】図２は、本発明の実施の形態に係る携帯情報端末の内部構成を示すブロック図である。
【図３】図３は、携帯情報端末の表示部の表示内容が変化する様子を示す図である。
【図４】図４は、タブ判別記憶テーブルのデータ構造の一例を示す図である。
【図５】図５は、タブ判別記憶テーブルのアクセス処理の流れを示すフローチャートである。
【図６】図６は、タブ判別記憶テーブルの待受表示内容の更新処理の流れを示す図であるフローチャートである。
【図７】図７は、本実施形態の変形例を示す図である。
【符号の説明】
【００１７】
１…タブ表示領域、２…シート表示領域、３…ソフトキー表示領域、１０…携帯電話機、１１…通信部、１２…制御部、１３…記憶部、１４…音声処理部、１５…スピーカ（ＳＰ）、１６…マイクロフォン（ＭＩＣ）、１７…表示部、１８…操作部、１２０…主制御部、１２１…アプリ実行制御部、１２２…待受け表示内容更新制御部、１２３…判別フラグ更新制御部、１２４…表示制御部、１３１…タブ判別記憶テーブル、１３２…システム退避領域、１３１１…タブ番号、１３１２…待受表示内容、１３１３…タブ判別フラグ。
【発明を実施するための最良の形態】
【００１８】
図１は、本発明の形態に係る携帯情報端末の外観図であり、図２は、本発明の実施の形態に係る携帯情報端末の内部構成を示すブロック図である。ここでは、携帯情報端末として、携帯電話１０が例示されている。【００１９】
図１および図２に示されるように、携帯電話１０は、通信部１１と、制御部１２と、記憶部１３と、音声処理部１４と、スピーカ１５（ＳＰ）と、マイクロフォン１６（ＭＩＣ）と、表示部１７と、操作検出部１８とにより構成される。
また携帯電話１０、表示部１７を有する筺体と操作検出部１８を有する筺体とが開閉可能に連結されて構成されている。【００２０】
通信部１１は、アンテナを介して不図示の基地局との間で信号の送受信を行う。より具体的には、通信部は、アンテナを介して通話の発着信の他に所望のサーバに接続してのＷｅｂページのダウンロードや、特定の多数のユーザーに対し、一斉配信 (マルチキャスト)される情報の受信等（以下、通信という）を行う。【００２１】
制御部１２は、携帯電話１０の各種制御を行う中央演算処理部である。詳細については後述する。【００２２】
記憶部１３は、制御部１２において処理に利用される各種のデータを記憶する。記憶部１３は、例えば、制御部１２に備わるコンピュータのプログラム、通信部１１を介しての通信相手の電話番号や電子メールアドレス等の個人情報を管理するアドレス帳、着信音やアラーム音を再生するための音声ファイル、待受時に表示部１７に表示される画像ファイル、各種の設定データ、プログラムの処理過程で利用される一時的なデータなどを記憶する。
また、本発明に特徴的な構成として、記憶部１３は、後述するタブ判別記憶テーブル１３１と、システム退避領域１３２とを有している。なお、記憶部１３は、例えば不揮発性の記憶デバイス（不揮発性半導体メモリ、ハードディスク装置、光ディスク装置など）やランダムアクセス可能な記憶デバイス（例えばＳＲＡＭ、ＤＲＡＭ）などによって構成される。【００２３】
タブ判別記憶テーブル１３１は、図４にそのデータ構造の一例が示されるように、タブ番号（タブＮｏ．）１３１１と、表示内容１３１２と、タブ判別フラグ１３１３とをそれぞれ関連づけて記憶する記憶領域である。
ここで、タブ番号１３１１とは、後述する表示部１７のタブ表示領域１（第１の表示領域）に表示されるタブ（機能特定情報）を特定する番号のことを意味し、待受表示内容１３１２とは、同じく後述する待受状態において表示部１７におけるシート表示領域２（第２の表示領域）に表示される情報のことを意味し、タブ判別フラグ１３１３は、タブ表示領域２に表示されるタブが操作検出部１８により検出される操作に応じて選択されているか否かを示すフラグを意味する。【００２４】
システム退避領域１３２は、アプリケーションプログラム（（機能）以下、単にアプリという）が実行されているときに通信部１１を介して通信が行われて、その実行中のアプリが中断された場合に（以下、アプリ実行中における通信部１１を介しての通信をイベントという）、中断直前のアプリの処理中データやシステム情報等を記憶する。【００２５】
音声処理部１４は、スピーカ１５から出力される音声信号やマイクロフォン１６において入力される音声信号の処理を行う。すなわち、音声処理部１４は、マイクロフォン１６から入力される音声を増幅し、アナログ／デジタル変換を行い、更に符号化等の信号処理を施し、デジタルの音声データに変換して制御部１２に出力する。また、音声処理部１４は、制御部１２から供給される音声データに、復号化、デジタル／アナログ変換、増幅等の信号処理を施し、アナログの音声信号に変換してスピーカ１５に出力する。【００２６】
表示部１７は、例えば、液晶表示パネルや有機ＥＬ（Electro-Luminescence）パネルなどの表示デバイスで構成されており、制御部１２から伝送される映像信号に応じた画像（図３など）を表示する。
表示部１７は、例えば、発信時における発信先の電話番号、着信時における着信相手の電話番号、受信メールや送信メールの内容、日付、時刻、バッテリ残量、発信成否、待受画面などの各種の情報や画像を表示する。【００２７】
操作検出部１８は、例えば、電源キー、通話キー、数字キー、文字キー、方向キー、決定キー、発信キー、前述のワンタッチキーなど、各種の操作が割り当てられたキーを有しており、これらのキーが使用者によって操作されると、その操作を検出するとともに、その検出結果に応じて信号を生成し、これを使用者の操作として制御部１２に伝送する。【００２８】
制御部１２は、図２にその内部構成が機能展開して示されるように、主制御部１２０と、アプリ実行制御部１２１と、表示内容更新制御部１２２と、判別フラグ更新制御部１２３と、表示制御部１２４と、を有する。
主制御部１２０は、アプリ実行制御部１２１、表示内容更新制御部１２２、判別フラグ更新制御部１２３および表示制御部１２４を制御する。【００２９】
アプリ実行制御部１２１（機能実行部）は、時計、カレンダ、貼付メモ、通信、機能切替え等のための複数のアプリを実行する機能を有する。また、アプリ実行制御部１２１は、記憶部１３におけるシステム退避領域１３２に記憶された情報を用いて、実行されるアプリの起動、実行、中断、もしくは終了等の各制御を行う。【００３０】
待受表示内容更新制御部１２２は、記憶部１３におけるタブ判別記憶テーブル１３１の待受表示内容１３１２に記憶され、前記アプリ実行制御部１２１により実行された機能の実行状態に応じてシート表示領域２に表示される情報を変更する制御を行う。【００３１】
判別フラグ更新制御部１２３は、記憶部１３におけるタブ判別記憶テーブル１３１の各待受表示内容１３１２に対応して設けられるタブの選択状態を示すタブ判別フラグ１３１３を更新する制御を行う。【００３２】
表示制御部１２４は、記憶部１３におけるタブ判別記憶テーブル１３１の記憶状態に応じて表示部１７の表示を制御する。
なお、アプリ実行制御部１２１、表示内容更新制御部１２２、判別フラグ更新制御部１２３および表示制御部１２４は、制御部１２内において物理的に分離されて構成されていてもそうでなくてもよい。【００３３】
次に、図３を用いて本発明の実施の形態に係る携帯電話１０の表示制御について説明する。図３は、携帯情報端末の表示制御部１２４による表示制御に伴って表示部１７の表示内容が変化する様子を示す図である。【００３４】
図３に示すように、本発明における表示部１７は、表示制御部１２４の制御に基づいて表示が制御されるタブ表示領域１と、シート表示領域２と、ソフトキー表示領域３とを有している。【００３５】
タブ表示領域１には、図３にも示されるようにカレンダタブ（タブＮｏ．１）、貼付メモタブ（タブＮｏ．２）、ＢＣＭＣＳ（Ｂｒｏａｄｃａｓｔ／Ｍｕｌｔｉｃａｓｔ Ｓｅｒｖｉｃｅ）タブ（タブＮｏ．３）、機能切換タブ（タブＮｏ．４）等の複数のアプリを特定する情報（機能特定情報）が表示される。
なお、操作検出部１８により検出された操作に応じてタブ表示領域１に表示されるタブのうちのいずれか一つが選択されると、その選択されたタブをその他のタブに対して色を変えて表示する（強調して表示する）。
これにより、使用者は、選択されたタブを容易に識別することができる。なお、タブ表示領域１へのタブの表示は、待ち受け状態においても表示されている。また、使用者が選択されたタブを操作検出部１８に対してさらに操作することにより確定すると、タブにより特定されるアプリが実行される。これにより、使用者は待受状態から容易にアプリを実行することができる。【００３６】
シート表示領域２には、方向キーやタブ毎に対応付けられたワンタッチキー等の操作検出部への操作に応じてタブが選択されると、その選択されたタブにより特定されるアプリの実行状態を示す情報（実行情報）が表示される。
例えば、図３のタブ待受画面Ｂにおいては、カレンダタブにより特定されるカレンダアプリの実行情報が表示され、タブ待受画面Ｃにおいては、貼付メモタブにより特定される貼付メモアプリ（使用者が操作検出部）の実行情報が表示され、タブ待受画面Ｄにおいては、ＢＣＭＣＳタブにより特定されるＢＣＭＣＳアプリ（通信部１１を用いたアプリの一種）の実行情報が表示され、タブ待受画面Ｅにおいては、機能切替タブにより特定される機能切替アプリの実行情報が表示されている。【００３７】
なお、アプリの実行状態を示す情報は、その実行状態に応じて変更可能に構成される。例えば、機能切替アプリにおいては、図２のタブ待受画面Ｅに示されるように、アプリの実行状態を示す情報として、使用者の操作検出部１８に対する操作に基づいて選択されている機能に係る情報がシート表示領域２に表示されるが、この選択されている機能に係る情報は検出部１８に対する操作に基づいて変更されるため、その結果、アプリの実行状態を示す情報も変更されることとなる。【００３８】
また、アプリの実行状態を示す情報は、通信部１１を介して受信される信号に基づいても変更可能に構成されている。例えば、ＢＣＭＣＳアプリにおいては、図２のタブ待受画面Ｄに示されるように、アプリの実行状態を示す情報として、通信部１１を介して受信された一斉配信情報がシート表示領域２に表示されるが、この選択されている機能に係る情報は、一斉配信情報が通信部１１を介して受信される度に変更または追加されるため、その結果、アプリの実行状態を示す情報も変更されることとなる。【００３９】
そして表示制御部１２４は、アプリの実行状態を示す情報が変更された場合には、変更後の情報を変更前の情報に対して優先してシート表示領域２に表示する。これにより、使用者は、使用者の意思や操作結果が最も反映された変更後のアプリの実行状態を示す情報を常にシート表示領域２の表示に基づいて確認することができる。【００４０】
また、シート表示領域２は、操作検出部１８により検出される電源キーへの操作等に基づいてアプリの実行状態を示す情報の表示が抑制されている場合には、アプリの実行状態を示す情報とは異なる待受情報が表示される。例えば。図３の待受画面Ａにおいては、操作検出部１８により検出される電源キーへの操作等に基づき、選択されたタブの解除がなされてシート表示領域２に時計の待受情報が表示されている。【００４１】
なお、図３のイベント発生画面Ｆは、通信部１１を介した着信等のイベントが発生した場合の表示部１７の様子を示している。このようにイベントが発生した場合には、表示制御部１２４は、タブ表示領域１へのタブの表示自体は維持しつつ、発生したイベントに対応する表示内容をシート表示領域２に表示する。図３のイベント発生画面Ｆにおいては、着信相手の電話番号が発生したイベントに対応する表示内容としてシート表示領域に表示されている。
ソフトキー表示領域３には、各シートの表示内容に合った適切なソフトキーが表示される。【００４２】
以下、図５、図６のフローチャートを参照しながら、本実施形態に係る携帯電話１０の動作について詳細に説明する。図５および図６は、携帯電話１０の動作を示すフローチャートであり、タブ判別記憶テーブル１３１のアクセス処理およびアプリの実行状態を示す情報の変更処理のそれぞれの処理の流れが示されている。【００４３】
携帯電話１０は、判別フラグ更新制御部１２３が、アプリ実行制御部１２１による制御の下で実行されている機能に対応してタブ判別フラグ１３１３をＯＮ設定“１”することによってどのタブが選択され、どの待受表示内容が表示されていたかについて記憶する。
図５のフローチャートは、図３の符号Ａで示した通常の待受画面、あるいは符号Ｂ〜Ｅで示したタブ待受画面が表示されていた状態から、イベントが発生し、当該イベントに対応した実行画面に遷移した時点を開始時点としている。【００４４】
制御部１２（主制御部１２０）は、イベントの発生を検知すると、アプリ実行制御部１２１を起動し、アプリ実行制御部１２１がイベントの処理に必要なアプリを実行する。次に制御部１２は、発生したイベントが待受画面Ａ〜Ｅのいずれかのアプリの実行状態を示す情報を変更する必要があるかについて判定する。ここで、変更が必要であると判定されれば、図６のフローチャートに示されるようにアプリ実行制御部１２１により生成されるアプリの実行状態を示す情報を変更し、タブ判別記憶テーブル１３１の内容を更新する（ここではＳ１１：イベント中として示した）。アプリの実行状態を示す情報の変更処理については図６のフローチャートを参照しながら後述する。【００４５】
一方、タイムアウトもしくは操作検出部１８の終話キーに対する押下が検出されて全てのアプリが終了又は中断するなどして（Ｓ１２“Ｙｅｓ”）、例えば、イベント発生画面Ｆが待受画面Ａ〜Ｅに切り替わった場合には、アプリ実行制御部１２１は、記憶部１３のタブ判別記憶テーブル１３１をアクセスしてタブ判別フラグ１３１３の内容を参照する（Ｓ１３）。
続いて、アプリ実行制御部１２１は、表示制御部１２４を起動する。
起動された表示制御部１２４は、タブ判別フラグ１３１３に“１”が設定されている待受表示内容１３１２からアプリの実行状態を示す情報を読み出し（Ｓ１４）、その読みだされたアプリの実行状態を示す情報を対応するタブと共に表示部１７に表示する（Ｓ１５）。なおこのとき対応するタブは他のタブに比べて強調してタブ表示領域１に表示される。【００４６】
次に、図６に示したフローチャートを参照しながらタブ表示内容更新時の処理の流れについて説明する。【００４７】
イベントが発生すると（Ｓ２１“Ｙｅｓ”）、主制御部１２０は、イベント種別を判定してアプリ実行制御部１２１を起動し（Ｓ２２）、アプリ実行制御部１２１は、該当するアプリを実行する。続いて、アプリ実行制御部１２１は、イベント発生したことに伴って、アプリの実行状態を示す情報を変更する必要があるか否かを判定する（Ｓ２３）。【００４８】
その結果、変更する必要があると判定された場合は（Ｓ２３“Ｙｅｓ”）、アプリ実行制御部１２１は、当該アプリに対応するタブ番号１３１１を決定して表示内容更新制御部１２２を起動する（Ｓ２４）。
続いて、表示内容更新制御部１２２は、アプリ実行制御部１２１により決定されたタブ番号１３１１に基づきタブ判別記憶テーブル１３１を参照し、同じくアプリ実行制御部１２１により変更する必要があると判定された情報に基づきタブ判別記憶テーブル１３１の待受表示内容１３１２におけるアプリの実行状態を示す情報を変更する（Ｓ２５）。【００４９】
図４には、アプリ実行制御部１２１が表示内容の更新が必要であると判定する場合の処理の一例が示されている。ここで、アプリ実行制御部１２１が表示内容の変更が必要であると判定する場合とは、例えば、時計アプリの実行により壁紙の変更がなされた場合、カレンダアプリの実行により誕生日の設定が変更された場合、貼付メモアプリの実行により貼付けられていたメモが削除された場合、ＢＣＭＣＳアプリの実行により最新のニュースが受信された場合、機能切替えアプリの実行によりメール中断処理が要求された場合等であった場合等のことをいう。【００５０】
このような場合、アプリ実行制御部１２１は、実行されるアプリに対応するタブのタブ判別フラグをＯＮ（“１”）する。なお、図４中、黒塗りしてあるタブ、あるいは黒塗りしてある部分が、アプリの実行状態を示す情報であってこのように変更された更新の対象になっているものである。
なお、アプリ実行制御部１２１により実行されていたアプリが、メール中断処理等の発生により中断された場合、制御部１２１は、主制御部１２０による制御の下でアプリ記憶部１３のシステム退避領域１３２に、中断直前に操作検出部１８に対する操作により入力された内容やそのときのシステム状態等のシステム再現に要する情報を記憶する。そして、アプリの中断が操作検出部１８への操作に基づき要求されると、アプリ実行制御部１２１は、システム退避領域１３２に記憶された各種情報を読み出し、アプリの中断直前のシステム状態を再現すると共に、アプリの実行を再開する。【００５１】
主制御部１２０は、アプリの実行状態を示す情報が変更された場合（Ｓ２５）、又は待受画面Ａ〜Ｅの表示内容やアイコンを更新する必要がないと判定された場合（Ｓ２３“Ｎｏ”）には、表示制御部１２４を起動する。起動された表示制御部１２４は、タブ判別フラグ１３１３に“１”が設定されている待受表示内容（シート）を読み出し、符号Ａ〜Ｅで示した中から対応する待受表示内容１３１２からアプリの実行状態を示す情報を読み出し、これを表示部１７に表示する（Ｓ２６）。
このように、複数あるアプリの実行状態を示す情報で、イベント発生前に有効になっていたものは、イベント終了後に表示される。また、イベント発生中に変更されたアプリの実行状態を示す情報は、変更のアプリの実行状態を示す情報に対して優先して表示される。【００５２】
以上説明のように、本実施形態の携帯電話１０によれば、制御部１２が、待受状態において操作検出部１８により検出された操作に応じてタブが選択されると、タブ表示領域１へのタブ表示を維持した状態で選択されたタブにより特定されるアプリの実行状態を示す情報をシート表示領域２に表示することにより、使用者にとって最も使用頻度の高い待受状態であっても操作性の向上が図られる。
したがって、従来のように多数のアイコンが表示部１７に乱雑に並ぶのが抑制され、表示部１７の表示内容が整理される。また、携帯電話１０のように小さな表示領域しか持たない場合であっても、待受状態において多くの情報が整理されて表示部１７に表示される。また、操作検出部１８の操作に基づいてタブを選択するのみで複数のアプリを切り替えることができるため、容易に表示部１７の表示内容を変更することができる。
また、また、イベント発生中に変更されたアプリの実行状態を示す情報は、変更のアプリの実行状態を示す情報に対して優先して表示されるため、使用者は最新のアプリの実行状態を示す情報を容易に確認することができる。【００５３】
なお、上記した本発明の実施の形態によれば、携帯情報端末として携帯電話１０のみ例示したが、携帯電話１０に限らず、ＰＤＡ（Personal Digital Assistants）、ゲーム機等にも同様に適用が可能である。
また、本発明の携帯情報端末が持つ各構成ブロックの機能は、全てをソフトウェアによって実現しても、あるいはその少なくとも一部をハードウエアで実現してもよい。例えば、制御部１２における処理や、通信部１１、音声処理部１４におけるデータ処理は、１または複数のプログラムによりコンピュータ上で実現してもよく、また、その少なくとも一部をハードウエアで実現してもよい。【００５４】
また、本実施形態におけるタブは、カレンダタブ（タブＮｏ．１）、貼付メモタブ（タブＮｏ．２）、ＢＣＭＣＳ（Ｂｒｏａｄｃａｓｔ／Ｍｕｌｔｉｃａｓｔ Ｓｅｒｖｉｃｅ）タブ（タブＮｏ．３）および機能切換タブ（タブＮｏ．４）で構成されていたが、本発明はこれに限定されず、その他のアプリに対応するタブで構成されていてもよい。
また、タブはアプリに対応するもののみならず、中断されたアプリを特定するタブ（第１の中断機能情報）で構成されていてもよい。なおアプリが中断された状態とは、実行されたアプリが終了されてはいないが、アプリの実行状態を示す情報がシート表示領域２には表示されておらず、その実行が一時停止された状態のことをいう。すなわち、実行されていたアプリがアプリ実行制御部１２１の制御により中断されると、その中断されたアプリを特定するタブを待受状態において表示部１７に表示するようにしてもよい。
例えば、図７に示すように、タブ表示領域１には、Ｗｅｂタブ（タブＮｏ．１）、Ｅメールタブ（タブＮｏ．２）、ｗｅｂタブタブ（タブＮｏ．３）、ナビゲーションタブ（タブＮｏ．４）等の複数の中断中のアプリを特定する情報（機能特定情報）が待受状態において表示される。【００５５】
そして、シート表示領域２には、方向キーやタブ毎に対応付けられたワンタッチキー等の操作検出部への操作に応じてタブが選択されると、その選択されたタブにより特定される中断中のアプリの実行状態を示す情報（第２の中断機能情報）が表示される。
例えば、図７のタブ待受画面Ｂにおいては、Ｗｅｂタブにより特定されるＷｅｂアプリ（通信部１１を用いたアプリの一種）であるいわゆるブラウザ機能であり、通信部１１を介してＷｅｂサーバにアクセスしてＷｅｂページに係る情報を受信すると共に、その受信されたＷｅｂページをシート表示領域に表示する機能によりアクセス可能なＷｅｂページのＵＲＬ情報に係る実行情報が表示され、タブ待受画面Ｃにおいては、Ｅメールタブにより特定されるＥメールアプリ（通信部１１を用いたアプリの一種）により実行されるＥメールの送受信に係る実行情報が表示され、タブ待受画面Ｄにおいては、ｗｅｂタブにより特定されるｗｅｂアプリ（通信部１１を用いたアプリの一種）により実行されるインターネットを用いた各種サービスの利用に係る実行情報が表示され、タブ待受画面Ｅにおいては、ナビゲーションタブにより特定されるナビゲーションアプリ（通信部１１を用いたアプリの一種）により実行される位置情報検出アプリの利用履歴に係る実行情報が表示されている。【００５６】
アプリ実行制御部１２１は、使用者が、操作検出部１８により検出された操作に応じてタブ表示領域１に表示されるタブのうちのいずれか一つを選択し、かつ、この選択されたタブにより特定される中断中のアプリの実行状態を示す情報を確定すると、その確定された中断中のアプリを再実行することができる。これにより、使用者は待受状態から容易に中断中のアプリの実行を再開することができる。
また、アプリ制御部１２１は、Ｗｅｂアプリが中断された状態で操作検出部１８により操作が検出されてＷｅｂアプリを特定するタブが選択されると、その度にその中断された状態は維持しつつ、通信部１１を介してＷｅｂサーバにアクセスし、中断直前に受信されたＷｅｂページに係る情報が更新されていないかどうかを確認する。そしてＷｅｂページが更新されていた場合には、その更新されたＷｅｂページに係る情報を受信してシート表示領域２に表示し、更新されていなかった場合には、中断直前に受信されたＷｅｂページに係る情報をそのままシート表示領域２に表示する。これにより、使用者は、Ｗｅｂアプリが中断中であっても中断直前に表示されていたＷｅｂページに係る情報を常に最新の状態で確認することができる。
なお、中断中のアプリを一つのタブに対応付け、当該タブが操作検出部１８への操作に応じて選択された場合にその中断中のアプリの実行を再開するよう構成してもよい。また、中断中のアプリを特定する情報は、中断中のアプリが存在する場合に限り表示部１７に表示し、中断中のアプリが存在しない場合には、表示部１７に表示されないように構成してもよい。こうすることにより、表示部１７の視認性の向上も併せて図ることできる。
【産業上の利用可能性】
【００５７】
本発明によれば、待受画面の報知情報量が増加したことに伴い待受画面が雑然としてしまうことを防ぐことが可能で、機能実行の観点からの操作性の向上を図ることが可能なことから、携帯電話機等の携帯情報端末に適用可能である。
【図１】
2008081945.tif 000003
【図２】
2008081945.tif 000004
【図３】
2008081945.tif 000005
【図４】
2008081945.tif 000006
【図５】
2008081945.tif 000007
【図６】
2008081945.tif 000008
【図７】
2008081945.tif 000009
【国際調査報告】
2008081945.tif 000010
2008081945.tif 000011